(57)【要約】【課題】出力の安定性を向上し得るエンジンシステムを提供する。【解決手段】制御手段２０が、触媒温度検出手段１４の検出温度が過熱防止用設定温度以上になって触媒過熱状態であると判断すると、エンジン１の出力を低下させる又はエンジン１を停止する出力低下処理を実行し、その出力低下処理の後、触媒温度検出手段１４の検出温度が過熱防止用設定温度よりも低くなって触媒過熱状態であると判断しなくなると、出力復帰処理を実行するように構成されたエンジンシステムであって、制御手段２０が燃焼モードをストイキ燃焼モードからリーン燃焼モードに切り換えるときに触媒過熱状態であると判断して出力低下処理を実行したときは、少なくともその出力低下処理の実行後、出力復帰処理が終了するまでの間、制御手段２０が触媒過熱状態であると判断するのを阻止する過熱判断阻止手段２１が設けられている。【選択図】図１
2012207577.tif 000002
【特許請求の範囲】
【請求項１】
混合気を燃焼室で圧縮して燃焼させて駆動力を出力するエンジンと、
前記エンジンからの排ガスが通流する排気路に排ガスが通過自在に設けられた三元触媒と、
その三元触媒の温度を検出する触媒温度検出手段と、
エンジン負荷に応じて、前記エンジンの出力を制御し、且つ、エンジン負荷に応じて、前記燃焼室で燃焼する混合気の空気過剰率をストイキ範囲内に設定するストイキ燃焼モードと前記燃焼室で燃焼する混合気の空気過剰率を前記ストイキ範囲よりも大きいリーン範囲内に設定するリーン燃焼モードとに前記エンジンの燃焼モードを切り換え自在な制御手段とを備え、
その制御手段が、前記触媒温度検出手段の検出温度が前記三元触媒の過熱を防止するための過熱防止用設定温度以上になって触媒過熱状態であると判断すると、前記エンジンの出力を低下させる又は前記エンジンを停止する出力低下処理を実行し、その出力低下処理の後、前記触媒温度検出手段の検出温度が前記過熱防止用設定温度よりも低くなって前記触媒過熱状態であると判断しなくなると、前記エンジンの出力を低下前の出力に上昇させる又は前記エンジンを再起動する出力復帰処理を実行するように構成されたエンジンシステムであって、
前記制御手段が前記燃焼モードを前記ストイキ燃焼モードから前記リーン燃焼モードに切り換えるときに前記触媒過熱状態であると判断して前記出力低下処理を実行したときは、少なくともその出力低下処理の実行後、前記出力復帰処理が終了するまでの間、前記制御手段が前記触媒過熱状態であると判断するのを阻止する過熱判断阻止手段が設けられているエンジンシステム。
【請求項２】
前記過熱判断阻止手段が、前記出力復帰処理の終了後、更に、待機用設定時間が経過するまで、前記制御手段が前記触媒過熱状態であると判断するのを阻止するように構成されている請求項１に記載のエンジンシステム。
【請求項３】
前記過熱判断阻止手段が、前記過熱防止用設定温度を補正用設定温度だけ高く補正して、その補正された過熱防止用設定温度に基づいて前記制御手段に前記触媒過熱状態であるか否かを判断させることにより、前記制御手段が前記触媒過熱状態であると判断するのを阻止するように構成されている請求項１又は２に記載のエンジンシステム。
【請求項４】
前記過熱判断阻止手段が、前記触媒過熱状態であるか否かを判断する処理を前記制御手段に中断させることにより、前記制御手段が前記触媒過熱状態であると判断するのを阻止するように構成されている請求項１又は２に記載のエンジンシステム。
【請求項５】
前記エンジンにて駆動される圧縮機を有する圧縮式ヒートポンプ回路が設けられ、
前記エンジンに、前記圧縮式ヒートポンプにかかる空調負荷に応じたエンジン負荷がかかるように構成されている請求項１〜４のいずれか１項に記載のエンジンシステム。
【発明の詳細な説明】
【技術分野】
【０００１】
本発明は、混合気を燃焼室で圧縮して燃焼させて駆動力を出力するエンジンと、前記エンジンからの排ガスが通流する排気路に排ガスが通過自在に設けられた三元触媒と、その三元触媒の温度を検出する触媒温度検出手段と、エンジン負荷に応じて、前記エンジンの出力を制御し、且つ、エンジン負荷に応じて、前記燃焼室で燃焼する混合気の空気過剰率をストイキ範囲内に設定するストイキ燃焼モードと前記燃焼室で燃焼する混合気の空気過剰率を前記ストイキ範囲よりも大きいリーン範囲内に設定するリーン燃焼モードとに前記エンジンの燃焼モードを切り換え自在な制御手段とを備え、その制御手段が、前記触媒温度検出手段の検出温度が前記三元触媒の過熱を防止するための過熱防止用設定温度以上になって触媒過熱状態であると判断すると、前記エンジンの出力を低下させる又は前記エンジンを停止する出力低下処理を実行し、その出力低下処理の後、前記触媒温度検出手段の検出温度が前記過熱防止用設定温度よりも低くなって前記触媒過熱状態であると判断しなくなると、前記エンジンの出力を低下前の出力に上昇させる又は前記エンジンを再起動する出力復帰処理を実行するように構成されたエンジンシステムに関する。
【背景技術】
【０００２】
かかるエンジンシステムとして、例えば、圧縮機がエンジンにて駆動される圧縮式ヒートポンプ回路を備えたエンジン駆動式のヒートポンプシステムや、エンジンにて駆動される発電機を備えたエンジン駆動式の熱電併給システムが知られている。
このようなエンジンシステムでは、エンジンの燃焼モードが、エンジン負荷に応じて、混合気の空気過剰率をストイキ範囲内（例えば１．０程度）に設定するストイキ燃焼モードと混合気の空気過剰率をストイキ範囲よりも大きいリーン範囲（例えば１．４〜１．６）内に設定するリーン燃焼モードとに切り換え自在に構成されている。
又、エンジンから排出される排ガス中の有害成分を浄化するために、エンジンからの排ガスが通流する排気路に三元触媒が排ガスの通過が自在に設けられ、又、三元触媒の温度を検出する触媒温度検出手段も設けられている（例えば、特許文献１参照。）。
【０００３】
つまり、ストイキ燃焼モードは、リーン燃焼モードに比べて高出力が得られ、リーン燃焼モードは、ストイキ燃焼モードに比べて高効率が得られるので、エンジン負荷が大きい領域では、エンジンがストイキ燃焼モードで運転され、逆に、エンジン負荷が小さい領域では、エンジンがリーン燃焼モードで運転される。
【０００４】
そして、燃焼室から排出される排ガスには、ＣＯ（一酸化炭素）及びＨＣ（炭化水素）が含まれるが、ストイキ燃焼モードでは、燃焼室に吸気される混合気中に燃焼熱を奪う空気が少ないため、燃焼室での燃焼温度が高くなって排ガスの温度が高くなるので、排ガスにはＮＯｘ（窒素酸化物）が比較的多く含まれる。
一方、リーン燃焼モードでは、燃焼室に吸気される混合気中には燃焼熱を奪う空気が多くなるので、エンジンがストイキ燃焼モードで運転される場合に比べて、燃焼室での燃焼温度が低くなって排ガスの温度が低くなり、その結果、燃焼室から排出される排ガスに含まれるＮＯｘは少ない。
そして、エンジンがストイキ燃焼モードで運転されるときは、三元触媒において、排ガスに含まれるＮＯｘが還元されると共にＣＯ及びＨＣが酸化されることになり、ＮＯｘ、ＣＯ及びＨＣが同時に除去される。
一方、エンジンがリーン燃焼モードで運転されるときは、三元触媒において、主に、ＣＯ及びＨＣが酸化されて除去されることになり、又、排ガスには元々ＮＯｘが殆ど含まれていないので、ＮＯｘは排出量が規定値以下に抑えられる。
【０００５】
ところで、エンジンの運転中に、三元触媒の温度が異常に上昇する場合がある。例えば、エンジンがストイキ燃焼モードで運転されていて排ガスの温度が高い状態で、排ガス中の酸化性成分と還元性成分との釣り合いが崩れて、還元性成分、即ち、ＣＯ及びＨＣが多くなると、ＣＯ及びＨＣが三元触媒で反応して三元触媒の温度が異常に上昇する。
そこで、上記の特許文献１には記載されてないが、三元触媒の過熱による劣化を抑制するために、触媒温度検出手段の検出温度が過熱防止用設定温度以上になって触媒過熱状態であると判断すると、強制的にエンジンの出力を低下させる又はエンジンを停止する出力低下処理を実行するように構成されている。
そして、その出力低下処理の実行後、触媒温度検出手段の検出温度が過熱防止用設定温度よりも低くなると、エンジンの出力を低下前の出力に上昇させる又はエンジンを再起動する出力復帰処理を実行するように構成されている。
【先行技術文献】
【特許文献】
【０００６】
【特許文献１】特開２００８−２８０６６号公報
【発明の概要】
【発明が解決しようとする課題】
【０００７】
上述したように、従来のエンジンシステムは、触媒温度検出手段の検出温度が過熱防止用設定温度以上になって触媒過熱状態であると判断して出力低下処理を実行すると、必ず、触媒温度検出手段の検出温度が過熱防止用設定温度よりも低くなるまで待って、出力復帰処理を実行する構成であるので、出力低下処理が実行されると、その実行の度に、出力復帰処理が実行されるまでに長時間かかることとなり、エンジンシステムの出力を安定化する上で改善の余地があった。
【０００８】
特に、エンジンの燃焼モードをストイキ燃焼モードからリーン燃焼モードに切り換えるときは、以下に説明する理由により、三元触媒の温度が異常に上昇し易いので、出力低下処理が実行され易く、しかも、エンジン負荷の低下に基づくストイキ燃焼モードからリーン燃焼モードへの切り換えは、比較的高い頻度で行われる場合がある。従って、従来のエンジンシステムは、上述のように、出力低下処理が比較的高い頻度で行われると、出力低下処理が実行される度に、出力復帰処理が実行されるまでに長時間かかることになり、エンジンシステムの出力が一層不安定化し易かった。
【０００９】
即ち、エンジンの燃焼モードをストイキ燃焼モードからリーン燃焼モードに切り換えるときには、エンジン負荷の低下に応じて、燃焼室への混合気の吸気量が減少調整されると共に、空気過剰率をリーン範囲内に増大変更すべく燃料の供給量が減少調整される。
このときに、例えば、混合気の吸気量の減少調整における減少率に比べて、燃料の供給量の減少調整における減少率が相対的に小さくなると、排ガスの温度が高い状態で、排ガス中の酸化性成分と還元性成分との釣り合いが崩れて、還元性成分（ＣＯ及びＨＣ）が多くなるので、三元触媒の温度が異常に上昇し易い。
【００１０】
本発明は、かかる実情に鑑みてなされたものであり、その目的は、出力の安定性を向上し得るエンジンシステムを提供することにある。
【課題を解決するための手段】
【００１１】
本発明のエンジンシステムは、混合気を燃焼室で圧縮して燃焼させて駆動力を出力するエンジンと、前記エンジンからの排ガスが通流する排気路に排ガスが通過自在に設けられた三元触媒と、その三元触媒の温度を検出する触媒温度検出手段と、エンジン負荷に応じて、前記エンジンの出力を制御し、且つ、エンジン負荷に応じて、前記燃焼室で燃焼する混合気の空気過剰率をストイキ範囲内に設定するストイキ燃焼モードと前記燃焼室で燃焼する混合気の空気過剰率を前記ストイキ範囲よりも大きいリーン範囲内に設定するリーン燃焼モードとに前記エンジンの燃焼モードを切り換え自在な制御手段とを備え、その制御手段が、前記触媒温度検出手段の検出温度が前記三元触媒の過熱を防止するための過熱防止用設定温度以上になって触媒過熱状態であると判断すると、前記エンジンの出力を低下させる又は前記エンジンを停止する出力低下処理を実行し、その出力低下処理の後、前記触媒温度検出手段の検出温度が前記過熱防止用設定温度よりも低くなって前記触媒過熱状態であると判断しなくなると、前記エンジンの出力を低下前の出力に上昇させる又は前記エンジンを再起動する出力復帰処理を実行するように構成されたものであって、
第１特徴構成は、前記制御手段が前記燃焼モードを前記ストイキ燃焼モードから前記リーン燃焼モードに切り換えるときに前記触媒過熱状態であると判断して前記出力低下処理を実行したときは、少なくともその出力低下処理の実行後、前記出力復帰処理が終了するまでの間、前記制御手段が前記触媒過熱状態であると判断するのを阻止する過熱判断阻止手段が設けられている点にある。
【００１２】
上記特徴構成によれば、燃焼モードをストイキ燃焼モードからリーン燃焼モードに切り換えるときに、制御手段により触媒過熱状態であると判断されて出力低下処理が実行されると、少なくともその出力低下処理の実行後、出力復帰処理が終了するまでの間、過熱判断阻止手段により、制御手段が触媒過熱状態であると判断するのが阻止されるので、制御手段により、出力復帰処理が出力低下処理の実行後に速やかに実行される。
つまり、本発明の発明者らは、エンジンシステムの出力の安定性を向上すべく、種々の実験を行い、エンジンの燃焼モードがストイキ燃焼モードからリーン燃焼モードに切り換えられるときに、排ガス中の酸化性成分と還元性成分との釣り合いが崩れて三元触媒の温度が上昇しても、その上昇の程度は、三元触媒の劣化を十分に抑制可能な想定範囲内であり、しかも、短時間でエンジンがリーン燃焼モードで安定して、三元触媒の温度がリーン燃焼モードでの通常温度に低下することを見出した。
そこで、燃焼モードがストイキ燃焼モードからリーン燃焼モードに切り換えられるときに、三元触媒の温度が過熱防止用設定温度以上に上昇することによって出力低下処理が実行された場合、その出力低下処理の後、速やかに出力復帰処理が実行されたとしても、三元触媒の劣化を十分に抑制することができるのである。
従って、エンジンの燃焼モードがストイキ燃焼モードからリーン燃焼モードに切り換えられるときに出力低下処理が実行されても、速やかに出力復帰処理が実行されるようにすることにより、三元触媒の劣化を十分に抑制しながら、出力の安定性を向上し得るエンジンシステムを提供することができるようになった。
【００１３】
第２特徴構成は、上記第１特徴構成に加えて、
前記過熱判断阻止手段が、前記出力復帰処理の終了後、更に、待機用設定時間が経過するまで、前記制御手段が前記触媒過熱状態であると判断するのを阻止するように構成されている点にある。
【００１４】
上記特徴構成によれば、過熱判断阻止手段により、出力復帰処理の終了後、更に、待機用設定時間が経過するまで、制御手段が触媒過熱状態であると判断するのが阻止される。
そして、待機用設定時間としては、触媒過熱状態であると判断されて出力低下処理が実行された後、速やかにリーン燃焼モードで出力復帰処理が実行された場合に、出力復帰処理が実行された後から、三元触媒の温度が過熱防止用設定温度よりも低くなるのに要する時間よりもやや長い時間に設定する。すると、出力復帰処理が終了したにも拘らず、三元触媒の温度が過熱防止用設定温度以上であるために再び出力低下処理が実行されるといった不都合を確実に回避することができる。
従って、エンジンの燃焼モードがストイキ燃焼モードからリーン燃焼モードに切り換えられるときに出力低下処理が実行されても、再び出力低下処理が実行されるといった不都合を確実に回避しながら、出力復帰処理が迅速に実行されるようにすることができた。
【００１５】
第３特徴構成は、上記第１又は第２特徴構成に加えて、
前記過熱判断阻止手段が、前記過熱防止用設定温度を補正用設定温度だけ高く補正して、その補正された過熱防止用設定温度に基づいて前記制御手段に前記触媒過熱状態であるか否かを判断させることにより、前記制御手段が前記触媒過熱状態であると判断するのを阻止するように構成されている点にある。
【００１６】
上記特徴構成によれば、制御手段は、エンジンの燃焼モードをストイキ燃焼モードからリーン燃焼モードに切り換えるときに、三元触媒の温度が過熱防止用設定温度以上に上昇して出力低下処理を実行すると、少なくとも、その実行後、出力復帰処理が終了するまでの間は、過熱防止用設定温度が補正用設定温度高く補正された補正過熱防止用設定温度に基づいて、触媒過熱状態であるか否かを判断する。
そして、補正用設定温度を、エンジンの燃焼モードがストイキ燃焼モードからリーン燃焼モードに切り換えられるときに三元触媒の温度が上昇すると考えられる温度幅よりもやや大きく設定することにより、出力低下処理の実行後、出力復帰処理が終了するまでの間に、制御手段が触媒過熱状態であると判断するのを阻止することができる。
しかも、三元触媒の温度が想定以上に異常に上昇した場合は、触媒温度検出手段の検出温度が補正過熱防止用設定温度よりも高くなって触媒過熱状態であると判断させることにより、出力復帰処理の実行を遅らせることができるので、三元触媒の劣化をより一層抑制することができる。
従って、三元触媒の劣化をより一層抑制しながら、出力復帰処理が迅速に実行されるようにすることができた。
【００１７】
第４特徴構成は、上記第１又は第２特徴構成に加えて、
前記過熱判断阻止手段が、前記触媒過熱状態であるか否かを判断する処理を前記制御手段に中断させることにより、前記制御手段が前記触媒過熱状態であると判断するのを阻止するように構成されている点にある。
【００１８】
上記特徴構成によれば、制御手段は、エンジンの燃焼モードをストイキ燃焼モードからリーン燃焼モードに切り換えるときに、三元触媒の温度が過熱防止用設定温度以上に上昇して出力低下処理を実行すると、少なくとも、その実行後、出力復帰処理が終了するまでの間は、触媒過熱状態であるか否かを判断する処理を中断する。
従って、ストイキ燃焼モードからリーン燃焼モードへの燃焼モードの切り換え時において、出力低下処理後の出力復帰処理の迅速化を的確に図ることができるようになった。
【００１９】
第５特徴構成は、上記第１〜第４特徴構成のいずれか１つに加えて、
前記エンジンにて駆動される圧縮機を有する圧縮式ヒートポンプ回路が設けられ、
前記エンジンに、前記圧縮式ヒートポンプにかかる空調負荷に応じたエンジン負荷がかかるように構成されている点にある。
【００２０】
上記特徴構成によれば、エンジンを作動させると、そのエンジンにより圧縮機が駆動されて圧縮式ヒートポンプが作動し、冷房や暖房等の空調運転が行われる。
そして、空調負荷が低下するのに伴って、その空調負荷に応じたエンジン負荷が低下すると、エンジンの燃焼モードがストイキ燃焼モードからリーン燃焼モードに切り換えられるが、そのときに出力低下処理が実行されても、出力復帰処理が速やかに実行されるようになる。
従って、エンジンの燃焼モードがストイキ燃焼モードからリーン燃焼モードに切り換えられるときに出力低下処理が実行されても、速やかに出力復帰処理が実行されるようにすることにより、三元触媒の劣化を十分に抑制しながら、出力の安定性を向上し得るエンジン駆動式のヒートポンプシステムを提供することができる。
【図面の簡単な説明】
【００２１】
【図１】エンジン駆動式のヒートポンプシステムの全体構成を示すブロック図
【図２】第１及び第２の各実施形態に係る制御動作のフローチャートを示す図
【図３】第１及び第２の各実施形態に係る制御動作のフローチャートを示す図
【図４】第１実施形態に係る制御動作のフローチャートを示す図
【図５】第１実施形態に係る燃焼モード切換時のタイムチャートを示す図
【図６】第２実施形態に係る制御動作のフローチャートを示す図
【発明を実施するための形態】
【００２２】
以下、図面に基づいて、本発明の実施の形態を説明する。
〔第１実施形態〕
先ず、第１実施形態を説明する。
図１に示すように、エンジンシステムは、混合気Ｍを燃焼室２で圧縮して燃焼させて駆動力を出力するエンジン１、そのエンジン１にて駆動される圧縮機３１を有する圧縮式ヒートポンプ回路３０、及び、エンジン負荷に応じてエンジン１の出力を制御する制御手段としての制御装置２０等を備えて、エンジン駆動式のヒートポンプシステムとして構成されている。
【００２３】
エンジン１の燃焼室２には、混合気Ｍを吸引する吸気路３、及び、エンジン１から排出される排ガスＥが通流する排気路４が接続されている。
吸気路３には、混合器５を介して、天然ガス系都市ガス等の燃料ガスＧを供給する燃料供給路６が接続されている。
そして、吸気路３の端部から吸気される空気Ａと燃料供給路６から供給される燃料ガスＧとが混合器５で混合されて、その混合気Ｍが吸気路３を通して燃焼室２に吸気され、燃焼室２において、その混合気Ｍが圧縮されると共に圧縮状態で点火プラグ（図示省略）にて点火されて燃焼・膨張することにより、クランクシャフト７が回転されて駆動力が出力され、燃焼により発生した排ガスＥが排気路４を通して排気される。つまり、このエンジン１は、通常の４サイクル式に構成されている。
更に、このエンジン１には、クランクシャフト７にギア連結されて、エンジン１の起動時にバッテリ（図示省略）駆動によりクランクシャフト７を強制的に回転させるセルモータ８、及び、クランクシャフト７の回転速度、即ち、エンジン１の回転速度を検出する回転速度センサ９が設けられている。
セルモータ８は、制御装置２０により制御され、回転速度センサ９の検出情報は、制御装置２０に入力されるように構成されている。
【００２４】
燃料供給路６には、燃料ガスＧの供給量を調整することにより混合気Ｍの空気過剰率を調整可能な燃料供給弁１０が設けられ、吸気路３には、燃焼室２に吸気される混合気Ｍの吸気量を調整可能なスロットルバルブ１１が設けられている。
排気路４には、排ガスＥの酸素濃度を検出する酸素濃度センサ１２、排ガスが通過自在な三元触媒１３、及び、その三元触媒１３を出た直後の排ガスＥの温度を三元触媒１３の温度として検出する触媒温度検出手段としての触媒温度センサ１４が夫々設けられている。
燃料供給弁１０及びスロットルバルブ１１は、制御装置２０により制御され、酸素濃度センサ１２の検出情報、及び、触媒温度センサ１４の検出情報は、夫々、制御装置２０に入力されるように構成されている。
尚、酸素濃度センサ１２は、排気路４において三元触媒１３の上流側の箇所に設けられ、触媒温度センサ１４は、排気路４において三元触媒１３の下流側の箇所に設けられている。
排ガスＥの酸素濃度を検出する酸素濃度センサとして、排気路４における三元触媒１３の上流側に設けた酸素濃度センサ１２に加えて、排気路４における三元触媒１３の下流側の箇所に設けて、その酸素濃度センサの検出情報も制御装置２０に入力されるように構成しても良い。
又、触媒温度センサ１４は、三元触媒１３の内部に設けても良い。
【００２５】
圧縮式ヒートポンプ回路３０には、圧縮機３１に加えて、室外空気熱交換器３２、室内機３３及び膨張弁３４、並びに、圧縮機３１にて圧縮された冷媒の送出先を室外空気熱交換器３２側と室内機３３側とに切り換える四方弁３５等を備えて構成されている。尚、室内機３３及び膨張弁３４は、空調対象空間内に設置される室内ユニットＵｉに装備され、室内機３３及び膨張弁３４以外の部材、即ち、エンジン１、圧縮機３１、室外空気熱交換器３２及び四方弁３５等は、空調対象空間外に設置される室外ユニットＵｅに装備される。
圧縮機３１は、動力伝達機構４０によってエンジン１に伝動連結され、エンジン１の軸動力により圧縮機３１を駆動して冷媒を圧縮することにより、後述するように、冷房運転や暖房運転等の空調運転を行うように構成されている。
動力伝達機構４０は、エンジン１のクランクシャフト７に固定されたエンジン側プーリ４１と、圧縮機３１の駆動軸３１ａにクラッチ手段としての電磁クラッチ４２を介して連結された圧縮機側プーリ４３と、それらエンジン側プーリ４１と圧縮機側プーリ４３とにわたって巻回されたベルト４４等を備えて構成されている。
電磁クラッチ４２は、制御装置２０により制御される。つまり、制御装置２０により電磁クラッチ４２のオンオフが切り換えられ、その電磁クラッチ４２のオンオフの切り換えにより、エンジン１と圧縮機３１との伝動連結が断続されて、エンジン１にエンジン負荷がかかる状態とエンジン負荷がかからない状態とに切り換えられるように構成されている。
【００２６】
圧縮式ヒートポンプ回路３０を冷房運転するときには、図１に実線で示すように、圧縮機３１の吐出側が室外空気熱交換器３２に接続され且つ圧縮機３１の流入側が室内機３３に接続されるように、四方弁３５が切り換えられる。このように四方弁３５が切り換えられると、圧縮機３１にて圧縮された高温高圧の冷媒蒸気が室外空気熱交換器３２にて放熱して凝縮し、その凝縮した冷媒液が膨張弁３４を通過して低温低圧化して室内機３３に流入して、その室内機３３にて吸熱蒸発し、その蒸発した冷媒蒸気が圧縮機３１に戻るといった形態で、冷媒がヒートポンプ回路３０を循環することになる。
そして、室内機３３において冷媒液が吸熱して蒸発する際に発生する冷熱を利用して、空調対象空間の冷房等を行うように構成される。
【００２７】
一方、圧縮式ヒートポンプ回路３０を暖房運転するときには、図１に破線で示すように、圧縮機３１の吐出側が室内機３３に接続され且つ圧縮機３１の流入側が室外空気熱交換器３２に接続されるように、四方弁３５が切り換えられる。このように四方弁３５が切り換えられると、圧縮機３１にて圧縮された高温高圧の冷媒蒸気が室内機３３にて放熱して凝縮し、その凝縮した冷媒液が膨張弁３４を通過して低温低圧化して室外空気熱交換器３２に流入して、その室外空気熱交換器３２にて吸熱蒸発し、その蒸発した冷媒蒸気が圧縮機３１に戻るといった形態で、冷媒がヒートポンプ回路３０を循環することになる。
そして、室内機において冷媒蒸気が放熱して凝縮する際に発生する温熱を利用して、空調対象空間の暖房等を行うように構成される。
【００２８】
つまり、上述のように、圧縮機３１が動力伝達機構４０によってエンジン１に伝動連結されることで、エンジン１には、圧縮式ヒートポンプ回路３０の空調負荷に応じたエンジン負荷がかかることになる。
そして、制御装置２０は、エンジン負荷に応じて、即ち、空調負荷に応じて目標回転速度を求めて、回転速度センサ９にて検出されるエンジン１の回転速度が目標回転速度になるように、スロットルバルブ１１の開度を調整して燃焼室２への混合気Ｍの吸気量を調整することにより、エンジン１の出力を制御するように構成されている。
【００２９】
又、制御装置２０は、酸素濃度センサ１２にて検出される酸素濃度を監視しながら、燃料供給弁１０の開度を調整することにより、燃焼室２で燃焼する混合気Ｍの空気過剰率をストイキ範囲内（例えば、１．０程度）に設定するストイキ燃焼モードと燃焼室２で燃焼する混合気Ｍの空気過剰率をストイキ範囲よりも大きいリーン範囲内（例えば、１．４〜１．６）に設定するリーン燃焼モードとにエンジン１の燃焼モードを切り換え自在に構成されている。
更に、制御装置２０は、触媒温度センサ１４の検出温度が三元触媒１３の過熱を防止するための過熱防止用設定温度以上になって触媒過熱状態であると判断すると、スロットルバルブ１１を閉じて燃焼室２への混合気Ｍの吸気を停止することにより、エンジン１を停止し、そのエンジン１の停止後、触媒温度センサ１４の検出温度が過熱防止用設定温度よりも低くなって触媒過熱状態であると判断しなくなると、エンジン１を再起動するように構成されている。
つまり、この第１実施形態では、出力低下処理として、エンジン１を停止する処理を実行し、出力復帰処理として、エンジン１を再起動する処理を実行するように構成されている。
【００３０】
説明を加えると、図示を省略するが、このエンジン駆動式のヒートポンプシステムのリモートコントローラには、空調目標温度を設定する温度設定部が備えられ、又、空調対象空間の温度を検出する室温センサが設けられている。これら温度設定部の設定情報及び室温センサの検出情報が制御装置２０に入力されるように構成され、制御装置２０は、温度設定部にて設定される空調目標温度と室温センサにて検出される空調対象空間の温度との偏差を空調負荷として求めるように構成されている。
【００３１】
そして、エンジン１の目標回転速度として、空調負荷が所定負荷以上の定格負荷領域に対応して、ストイキ側回転速度範囲が設定され、空調負荷が所定負荷よりも小さい部分負荷領域に対応して、ストイキ側回転速度範囲よりも小さいリーン側回転速度範囲が設定されている。又、空調負荷が定格負荷領域のときは、エンジン１の燃焼モードがストイキ燃焼モードに設定され、空調負荷が部分負荷領域のときは、エンジン１の燃焼モードがリーン燃焼モードに設定される。
【００３２】
そして、制御装置２０は、空調負荷が定格負荷領域のときは、空調負荷に応じて目標回転速度をストイキ側回転速度範囲内で定めて、酸素濃度センサ１２にて検出される排ガスＥの酸素濃度がストイキ範囲内の空気過剰率に応じて設定されたストイキ側目標濃度（例えば、略ゼロ）になるように燃料ガスＧの供給量を調整すべく、燃料供給弁１０の開度を調整し、並びに、回転速度センサ９にて検出されるエンジン１の回転速度が空調負荷に応じた目標回転速度になるように混合気Ｍの吸気量を調整すべく、スロットルバルブ１１の開度を調整する。
【００３３】
又、制御装置２０は、空調負荷が部分負荷領域のときは、空調負荷に応じて目標回転速度をリーン側回転速度範囲内で定めて、酸素濃度センサ１２にて検出される排ガスＥの酸素濃度がリーン範囲内の空気過剰率に応じて設定されたリーン側目標濃度になるように燃料ガスＧの供給量を調整すべく、燃料供給弁１０の開度を調整し、並びに、回転速度センサ９にて検出されるエンジン１の回転速度が空調負荷に応じた目標回転速度になるように混合気Ｍの吸気量を調整すべく、スロットルバルブ１１の開度を調整する。
【００３４】
三元触媒１３は、例えば、アルミナ等の無機担体に白金、パラジウム、ロジウム等の貴金属成分を担持して構成され、酸化性成分と還元性成分とがつりあった状態の理論当量比の排ガスＥが通過することで、その排ガスＥに含まれるＮＯｘ、ＣＯ及びＨＣの排出物を同時に除去するように構成されている。
つまり、エンジン１がストイキ燃焼モードで運転されるときは、排ガスＥが三元触媒１３を通過すると、その排ガスＥに含まれるＮＯｘが還元されると共に、ＣＯ及びＨＣが酸化されることになり、ＮＯｘ、ＣＯ及びＨＣが同時に除去される。
一方、エンジン１がリーン燃焼モードで運転されるときは、排ガスＥが三元触媒１３を通過すると、主に、ＣＯ及びＨＣが酸化されて除去されることになり、又、排ガスＥには元々ＮＯｘが殆ど含まれていないので、ＮＯｘは排出量が規定値以下に抑えられることになる。
【００３５】
そして、三元触媒１３の温度が異常に上昇する場合があるので、その三元触媒１３の過熱による劣化を防止するために、上述のように、触媒温度センサ１４の検出温度が過熱防止用設定温度以上になって触媒過熱状態であると判断するとンジン１を停止し、その停止後、触媒温度センサ１４の検出温度が過熱防止用設定温度よりも低くなって触媒過熱状態であると判断しなくなると、エンジン１を再起動するように、制御装置２０が構成されているのである。
【００３６】
そして、本発明は、エンジン１の燃焼モードをストイキ燃焼モードからリーン燃焼モードに切り換えるときに、触媒温度センサ１４の検出温度が過熱防止用設定温度以上になってエンジン１が停止されると、迅速にエンジン１が再起動されるようにしたものである。
つまり、制御装置２０が燃焼モードをストイキ燃焼モードからリーン燃焼モードに切り換えるときに触媒過熱状態であると判断してエンジン１を停止したときは、少なくともそのエンジン１の停止後（即ち、出力低下処理の実行後）、エンジン１の再起動(即ち、出力復帰処理)が終了するまでの間、制御装置２０が触媒過熱状態であると判断するのを阻止する過熱判断阻止手段２１が設けられている。
この第１実施形態では、過熱判断阻止手段２１が、エンジン１の再起動(即ち、出力復帰処理)の終了後、更に、待機用設定時間が経過するまで、制御装置２０が触媒過熱状態であると判断するのを阻止するように構成されている。
又、過熱判断阻止手段２１が、過熱防止用設定温度Ｔｓを補正用設定温度αだけ高く補正して、その補正された補正過熱防止用設定温度Ｔｓｒに基づいて制御装置２０に触媒過熱状態であるか否かを判断させることにより、制御装置２０が触媒過熱状態であると判断するのを阻止するように構成されている。
【００３７】
そして、待機用設定時間Ｈｓとして設定された時間は、触媒過熱状態であると判断されてエンジン１を停止した後、速やかにエンジン１をリーン燃焼モードで再起動した場合に、エンジン１の再起動後、三元触媒１３の温度が過熱防止用設定温度よりも低い温度に下がるのに要する時間よりもやや長い時間である。
又、補正用設定温度αとして設定された温度は、エンジン１の燃焼モードがストイキ燃焼モードからリーン燃焼モードに切り換えられるときに、三元触媒１３の温度が上昇すると考えられる温度よりも十分高い温度である。
つまり、エンジン１の燃焼モードがストイキ燃焼モードからリーン燃焼モードに切り換えられるときに、三元触媒１３の温度が上昇するとしても、その三元触媒１３の温度が補正過熱防止用設定温度Ｔｓｒを越えることがないように、補正過熱防止用設定温度Ｔｓｒが設定される。
【００３８】
制御装置２０は、所定のコンピュータプログラムを実行することにより、上述のエンジン１の出力制御及び燃焼モードの切換制御等の各種制御を実行すると共に、上述の如き、触媒過熱状態であると判断するのを阻止する処理を実行するように構成されている。
つまり、この実施形態では、過熱判断阻止手段２１が、制御装置２０を用いて構成されている。
【００３９】
以下、制御装置２０の制御動作について、説明を加える。
先ず、エンジン１の出力制御及び燃焼モードの切換制御における全体の制御動作を、図２に示すフローチャートに基づいて説明する。このフローチャートは、本願における燃焼モード選択と三元触媒１３の過熱防止を行うための基本的な制御である。
触媒温度センサ１４の検出温度Ｔが過熱防止用設定温度Ｔｓ以上か否かを判定して、触媒温度センサ１４の検出温度Ｔが過熱防止用設定温度Ｔｓよりも低い場合は、空調負荷が定格負荷領域か部分負荷領域かを判定する（ステップ＃１，２）。
ステップ＃２で空調負荷が定格負荷領域であると判定すると、空調負荷に応じて目標回転速度をストイキ側回転速度範囲内で定めて、酸素濃度センサ１２にて検出される排ガスＥの酸素濃度がストイキ側目標濃度になると共に、回転速度センサ９にて検出されるエンジン１の回転速度が目標回転速度になるように、燃料供給弁１０及びスロットルバルブ１１の開度を調整して、リターンする（ステップ＃３，４）。
つまり、燃焼モードがストイキ燃焼モードのときは、そのストイキ燃焼モードが継続されると共に、エンジン１の回転速度が空調負荷に応じた回転速度になるように回転速度調整が行われ、燃焼モードがリーン燃焼モードのときは、燃焼モードがストイキ燃焼モードに切り換えられると共に、エンジン１の回転速度が空調負荷に応じた回転速度になるように回転速度調整が行われることになる。
【００４０】
ステップ＃２で空調負荷が部分負荷領域であると判定すると、ステップ＃５で現時点の燃焼モードがストイキ燃焼モードか否かを判定して、現時点の燃焼モードがストイキ燃焼モードでない、即ち、リーン燃焼モードのときは、空調負荷に応じて目標回転速度をリーン側回転速度範囲内で定めて、酸素濃度センサ１２にて検出される排ガスＥの酸素濃度がリーン側目標濃度になると共に、回転速度センサ９にて検出されるエンジン１の回転速度が目標回転速度になるように、燃料供給弁１０及びスロットルバルブ１１の開度を調整して、リターンする（ステップ＃６，７）。つまり、リーン燃焼モードが継続されると共に、エンジン１の回転速度が空調負荷に応じた回転速度になるように回転速度調整が行われることになる。
又、ステップ＃５で、現時点の燃焼モードがストイキ燃焼モードであると判定すると、後述するように、燃焼モードをストイキ燃焼モードからリーン燃焼モードに切り換えるストイキ→リーン切換処理を実行する(ステップ＃８)。
【００４１】
ステップ＃１で、触媒温度センサ１４の検出温度Ｔが過熱防止用設定温度Ｔｓ以上であると判定すると、スロットルバルブ１１を閉じて燃焼室２への混合気Ｍの吸気を停止することにより、エンジン１を停止し、その後、触媒温度センサ１４の検出温度Ｔが過熱防止用設定温度Ｔｓよりも低くなると、セルモータ８を作動させてエンジン１を再起動する再起動処理を実行して、リターンする(ステップ＃９〜１１)。
制御装置２０は、図２に示すフローチャートに基づく制御動作を、予め設定されたサイクル時間で繰り返し実行する。
【００４２】
ちなみに、ステップ＃１１のエンジン再起動処理では、セルモータ８を作動させた状態で、酸素濃度センサ１２にて検出される排ガスＥの酸素濃度が触媒過熱状態であると判断した時に設定されていた燃焼モードに応じた値になり、且つ、混合気Ｍの吸気量が所定の起動用吸気量になるように、燃料供給弁１０及びスロットルバルブ１１の開度を調整し、セルモータ８を停止させても回転速度センサ９にてエンジン１の回転が検出されて、エンジン１の起動が確認されると、酸素濃度センサ１２にて検出される排ガスＥの酸素濃度が触媒過熱状態であると判断した時に設定されていた燃焼モードに応じた値になり、且つ、回転速度センサ９にて検出されるエンジン１の回転速度が目標回転速度になるように、燃料供給弁１０及びスロットルバルブ１１の開度を調整する。
【００４３】
次に、エンジン１の燃焼モードをストイキ燃焼モードからリーン燃焼モードに切り換えるストイキ→リーン切換処理について、説明する。
制御装置２０は、空調負荷が定格負荷領域から部分負荷領域に変化して、燃焼モードをストイキ燃焼モードからリーン燃焼モードに切り換えるタイミングになると、電磁クラッチ４２をオフにしてエンジン１にエンジン負荷がかからないようにし、且つ、エンジン１の回転速度をストイキ燃焼モードに対応するストイキ側回転速度範囲の下限値又はその下限値に近い値に設定される切換用回転速度に調整した後、燃焼モードをストイキ燃焼モードからリーン燃焼モードに切り換え、且つ、エンジン１の回転速度をリーン燃焼モードに対応するリーン側回転速度範囲の回転速度に調整し、続いて、電磁クラッチ４２をオンにしてエンジン１にエンジン負荷をかけるように構成されている。
ちなみに、切換用回転速度は、本実施形態では、ストイキ側回転速度範囲の下限値に設定されている。
【００４４】
次に、図３及び図４に示すフローチャート及び図５に示すタイムチャートに基づいて、ストイキ→リーン切換処理における制御動作を説明する。このフローチャートは、本願において、エンジン１の燃焼モードをストイキ燃焼モードからリーン燃焼モードに切り換えるときにエンジン１が停止されたときの再起動が迅速に行われるようにするための制御である。ちなみに、図５において、（ａ）は、エンジン１の回転速度Ｒ及びトルク夫々の時間経過に伴う変動を示し、（ｂ）は、触媒温度センサ１４の検出温度Ｔの時間経過に伴う変動を示し、（ｃ）は、混合気Ｍの空気過剰率の時間経過に伴う変動を示す。
【００４５】
図３に示すように、先ず、制御装置２０は、燃焼モードをストイキ燃焼モードからリーン燃焼モードに切り換えるタイミングになると、電磁クラッチ４２をオフにした後、触媒温度センサ１４の検出温度Ｔが過熱防止用設定温度Ｔｓ以上にならないかを監視しながら、酸素濃度センサ１２にて検出される排ガスＥの酸素濃度をストイキ側目標濃度に維持し、且つ、回転速度センサ９にて検出されるエンジン１の回転速度Ｒが切換用回転速度Ｒａになるように、燃料供給弁１０及びスロットルバルブ１１の開度を調整する（ステップ＃２１〜２４）。ちなみに、ΔＲは微小な値に設定される。つまり、燃焼モードがストイキ燃焼モードに維持される状態で、エンジン１の回転速度が切換用回転速度Ｒａに調整される。
【００４６】
触媒温度センサ１４の検出温度Ｔが過熱防止用設定温度Ｔｓ以上にならない状態で、回転速度センサ９にて検出されるエンジン１の回転速度Ｒが切換用回転速度Ｒａ±ΔＲの範囲に入ると  触媒温度センサ１４の検出温度Ｔが過熱防止用設定温度Ｔｓ以上にならないかを監視しながら、酸素濃度センサ１２にて検出される排ガスＥの酸素濃度がリーン側目標濃度になり、且つ、回転速度センサ９にて検出されるエンジン１の回転速度Ｒが目標回転速度Ｒｐになるように、燃料供給弁１０及びスロットルバルブ１１の開度を調整する（ステップ＃２５〜２７）。
触媒温度センサ１４の検出温度Ｔが過熱防止用設定温度Ｔｓ以上にならない状態で、回転速度センサ９にて検出されるエンジン１の回転速度Ｒが目標回転速度Ｒｐ±ΔＲの範囲に入ると、電磁クラッチ４２をオンして（ステップ＃２８）、リターンする。
【００４７】
ステップ＃２３で触媒温度センサ１４の検出温度Ｔが過熱防止用設定温度Ｔｓ以上になると、スロットルバルブ１１を閉じてエンジン１を停止する（ステップ＃２９）。
エンジン１の停止後、触媒温度センサ１４の検出温度Ｔが過熱防止用設定温度Ｔｓよりも低くなると、セルモータ８を作動させて再起動処理を実行し、電磁クラッチ４２をオンにした後、リターンする(ステップ＃３０〜３２)。
尚、ステップ＃３１のエンジン再起動処理の制御動作は、ステップ＃１１のエンジン再起動処理と同様である。
【００４８】
ステップ＃２６で触媒温度センサ１４の検出温度Ｔが過熱防止用設定温度Ｔｓ以上になると、スロットルバルブ１１を閉じてエンジン１を停止し、図４に示すように、切換時起動処理を実行して、リターンする（ステップ＃３３，３４）。
【００４９】
切換時起動処理では、図４に示すように、過熱防止用設定温度Ｔｓに補正用設定温度αを加えることにより、過熱防止用設定温度Ｔｓを補正過熱防止用設定温度Ｔｓｒに補正する（ステップ＃４１）。
続いて、触媒温度センサ１４の検出温度Ｔが過熱防止用設定温度Ｔｓよりも低ければ、セルモータ８を作動させて再起動処理を実行すると共に、待機経過時間Ｈの計時を開始した後、電磁クラッチ４２をオンする（ステップ＃４２〜４５）。尚、ステップ＃４３のエンジン再起動処理の制御動作は、ステップ＃１１のエンジン再起動処理と同様である。
続いて、触媒温度センサ１４の検出温度Ｔが補正過熱防止用設定温度Ｔｓｒ以上にならないかを監視しながら、待機経過時間Ｈが待機用設定時間Ｈｓに達するまで待機し、触媒温度センサ１４の検出温度Ｔが補正過熱防止用設定温度Ｔｓｒ以上にならない状態で、待機経過時間Ｈが待機用設定時間Ｈｓに達すると、リターンする（ステップ＃４６，４７）。
ステップ＃４６で触媒温度センサ１４の検出温度Ｔが補正過熱防止用設定温度Ｔｓｒ以上になると、図３に示すフローチャートのステップ＃２９に戻る。
【００５０】
図５のタイムチャートに示すように、混合気Ｍの空気過剰率がストイキ範囲内（例えば１）に維持された状態で、エンジン１の回転速度Ｒがストイキ側回転速度範囲の下限値に設定される切換用回転速度Ｒａに低下されても、三元触媒１３の温度Ｔは、エンジン１がストイキ燃焼モードで運転される状態での通常の温度近辺に維持される。
そして、その状態で、混合気Ｍの空気過剰率がリーン範囲内（例えば１．６）に変更されて、燃焼モードがストイキ燃焼モードからリーン燃焼モードに切り換えられると、三元触媒１３の温度が上昇する。そして、触媒温度センサ１４の検出温度Ｔが過熱防止用設定温度Ｔｓ以上になると、エンジン１が停止される。
【００５１】
本発明では、このようにエンジン１が停止されると、過熱防止用設定温度Ｔｓが高温側に補正された補正過熱防止用設定温度Ｔｓｒに基づいて触媒過熱状態であるか否かを判断させる構成であるため、エンジン１の停止直後には、触媒温度センサ１４の検出温度Ｔが補正過熱防止用設定温度Ｔｓｒよりも低くなっていて、触媒過熱状態であると判断されないので、エンジン１の停止後、直ちに、エンジンが再起動される。
しかも、そのようにエンジン１が再起動された後、待機用設定時間Ｈｓが経過する間も、補正過熱防止用設定温度Ｔｓｒに基づいて触媒過熱状態であるか否かを判断させるので、触媒温度センサ１４の検出温度Ｔが補正過熱防止用設定温度Ｔｓｒ以上になることがなく、エンジン１の再起動後、再び、触媒過熱状態であると判断されてエンジン１が停止されるといった不都合を回避することができる。
【００５２】
そして、図２に示すフローチャートのステップ＃１や図３に示すステップ＃２３において、触媒過熱状態であるか否かが判断されるが、このような判断は、エンジン１の燃焼モードが切り換えられない状態で行われるものであり、三元触媒１３等に異常がない限り、触媒過熱状態であると判断されることは殆どないので、エンジン１が停止されることは殆どない。
従って、エンジン１の燃焼モードがストイキ燃焼モードからリーン燃焼モードに切り換えられるときに、触媒過熱状態であると判断されてエンジン１が停止されても、エンジン１が速やかに再起動されるので、三元触媒１３の劣化を十分に抑制しながら、出力の安定性を向上することができる。
【００５３】
〔第２実施形態〕
以下、本発明の第２実施形態を説明するが、この第２実施形態は、過熱判断阻止手段２１の別の実施形態を説明するものであり、エンジン駆動式のヒートポンプシステムの構成は上記の第１実施形態と同様である。従って、重複説明を避けるために、エンジン駆動式のヒートポンプシステムの構成については説明を省略して、主として、過熱判断阻止手段２１について説明する。
【００５４】
この第２実施形態では、過熱判断阻止手段２１が、触媒過熱状態であるか否かを判断する処理を制御装置２０に中断させることにより、制御装置２０が触媒過熱状態であると判断するのを阻止するように構成されている。
尚、過熱判断阻止手段２１は、上記の第１実施形態と同様に、エンジン１の再起動(即ち、出力復帰処理)の終了後、更に、待機用設定時間が経過するまで、触媒過熱状態であるか否かを判断する処理を制御装置２０に中断させることにより、制御装置２０が触媒過熱状態であると判断するのを阻止するように構成されている。
この過熱判断阻止手段２１は、上記の第１実施形態と同様に、制御装置２０を用いて構成されている。
【００５５】
以下、制御装置２０の制御動作について、説明を加えるが、エンジン１の出力制御及び燃焼モードの切換制御における全体の制御動作については、上記の第１実施形態において図２のフローチャートに基づいて説明した制御動作と同様であるので、説明を省略して、ストイキ→リーン切換処理について、説明する。
この第２実施形態でも、上記の第１実施形態と同様に、空調負荷が定格負荷領域から部分負荷領域に変化して、燃焼モードをストイキ燃焼モードからリーン燃焼モードに切り換えるタイミングになると、電磁クラッチ４２をオフにしてエンジン１にエンジン負荷がかからないようにし、且つ、エンジン１の回転速度をストイキ燃焼モードに対応するストイキ側回転速度範囲の下限値又はその下限値に近い値に設定される切換用回転速度に調整した後、燃焼モードをストイキ燃焼モードからリーン燃焼モードに切り換え、且つ、エンジン１の回転速度をリーン燃焼モードに対応するリーン側回転速度範囲の回転速度に調整し、続いて、電磁クラッチ４２をオンにしてエンジン１にエンジン負荷をかけるように構成されている。
【００５６】
そして、この第２実施形態のストイキ→リーン切換処理における制御動作は、第１実施形態で説明した図３のフローチャートにおいて、ステップ＃３４の切換時再起動処理の制御動作が第１実施形態と異なる以外は、第１実施形態と同様である。従って、図３のフローチャートに基づくストイキ→リーン切換処理における全体の制御動作の説明を省略して、以下、切換時再起動処理における制御動作を説明する。
図６に示すように、ステップ＃３３でエンジン１を停止させた後、エンジン１を停止するエンジン停止指令の有無を判定して、エンジン停止指令がなければ、セルモータ８を作動させて再起動処理を実行し、待機経過時間Ｈの計時を開始した後、電磁クラッチ４２をオンする（ステップ＃５１〜５４）。
続いて、待機経過時間Ｈが待機用設定時間Ｈｓに達するまで待機し、待機経過時間Ｈが待機用設定時間Ｈｓに達すると、リターンする（ステップ＃５５）。
尚、ステップ＃５１でのエンジン停止指令は、触媒温度センサ１４以外の異常検出用のセンサ（図示省略）により異常が検出されると指令され、あるいは、エンジン駆動式のヒートポンプシステムの操作部の運転停止スイッチが操作されると指令される。
【００５７】
この図６に示すフローチャートでは、先の図４のフローチャートで示した触媒温度センサ１４の検出温度Ｔを過熱防止用設定温度Ｔｓや補正過熱防止用設定温度Ｔｓｒと比較して触媒過熱状態であるか否かを判断するステップ（ステップ＃４２，４７）が存在しない。
つまり、この第２実施形態では、触媒過熱状態であると判断されてエンジン１が停止されると、そのエンジン停止後から、エンジン１の再起動(即ち、出力復帰処理)が終了し、更に、その終了後、待機用設定時間が経過するまで、触媒過熱状態であるか否かを判断する処理が中断される。
従って、触媒過熱状態であると判断されてエンジン１が停止されても、エンジン停止指令が指令されていない限り、エンジン１は迅速に再起動される。
【００５８】
〔別実施形態〕
次に別実施形態を説明する。
（イ）  エンジン１の燃焼モードをストイキ燃焼モードからリーン燃焼モードに切り換えるための制御形態は、上記の実施形態で説明した制御形態、即ち、燃焼モードをストイキ燃焼モードに維持した状態で、電磁クラッチ４２をオフにし、且つ、エンジン１の回転速度を切換用回転速度に調整した後、燃焼モードをストイキ燃焼モードからリーン燃焼モードに切り換え、且つ、エンジン１の回転速度をリーン側回転速度範囲の回転速度に調整し、続いて、電磁クラッチ手段４２をオンする制御形態に限定されるものではない。
例えば、燃焼モードをストイキ燃焼モードからリーン燃焼モードに切り換えるタイミングになると、先ず、燃焼モードをストイキ燃焼モードに維持し且つ電磁クラッチ４２をオンに維持した状態で、エンジン１の回転速度を切換用回転速度に調整した後、燃焼モードをストイキ燃焼モードからリーン燃焼モードに切り換え、且つ、エンジン１の回転速度をリーン側回転速度範囲の回転速度に調整する制御形態でも良い。
【００５９】
あるいは、燃焼モードをストイキ燃焼モードからリーン燃焼モードに切り換えるタイミングになると、電磁クラッチ４２をオンに維持した状態で、即、燃焼モードをストイキ燃焼モードからリーン燃焼モードに切り換え、且つ、エンジン１の回転速度をリーン側回転速度範囲の回転速度に調整する制御形態でも良い。
【００６０】
（ロ）  上記の実施形態では、触媒温度センサ１４の検出温度が過熱防止用設定温度以上になって触媒過熱状態であると判断したときに実行する出力低下処理として、エンジン１を停止するように構成したが、エンジン１の回転速度を低下させてエンジン１の出力を低下させるように構成しても良い。
このようにエンジン１の回転速度を低下させるときの低下目標回転速度は、エンジン１の安定運転が可能な条件で極力低速に設定して、排ガス量を極力少なくすることにより、三元触媒１３の温度が極力速く低下するようにする。
この場合の出力復帰処理は、エンジン１の回転速度を低下前の回転速度に戻すことにより、エンジン１の出力を低下前の出力に上昇させるように構成することになる。
【００６１】
（ハ）  過熱判断阻止手段２１を構成するに、上記の実施形態では、出力低下処理の実行後、出力復帰処理が終了し、更に、その終了後、待機用設定時間が経過するまで、制御装置２０が触媒過熱状態であると判断するのを阻止するように構成したが、出力低下処理の実行後、出力復帰処理が終了するまでの間、制御装置２０が触媒過熱状態であると判断するのを阻止するように構成しても良い。
【００６２】
（ニ）  燃焼モードをストイキ燃焼モードからリーン燃焼モードに切り換えるときに、電磁クラッチ４２をオフにする制御動作を実行するタイミングは、エンジン１の回転速度をストイキ側回転速度範囲の下限値又はその下限値に近い値に設定される切換用回転速度に調整する制御動作の前でも後でも良い。
【００６３】
（ホ）  本発明を適用可能なエンジンシステムの具体例は、上記の実施形態の如きエンジン駆動式のヒートポンプシステムに限定されるものではなく、種々の構成のエンジンシステムに適用可能である。
例えば、エンジン１にて駆動される発電機を有するエンジン駆動式の熱電併給システムに適用することができる。
【産業上の利用可能性】
【００６４】
以上説明したように、エンジンの燃焼モードがストイキ燃焼モードからリーン燃焼モードに切り換えられるときに出力低下処理が実行されても、速やかに出力復帰処理が実行されるようにすることにより、三元触媒の劣化を十分に抑制しながら、出力の安定性を向上し得るエンジンシステムを提供することができる。
【符号の説明】
【００６５】
１    エンジン
２    燃焼室
４    排気路
１３  三元触媒
１４  触媒温度センサ（触媒温度検出手段）
２０  制御装置（制御手段)
２１  過熱判断阻止手段
３０  圧縮式ヒートポンプ回路
３１  圧縮機
Ｅ    排ガス
Ｍ    混合気
【図１】
2012207577.tif 000003
【図２】
2012207577.tif 000004
【図３】
2012207577.tif 000005
【図４】
2012207577.tif 000006
【図５】
2012207577.tif 000007
【図６】
2012207577.tif 000008